(57)【要約】【課題】本発明の目的は、従来、健康増進効果のない物質で作られてきた基材に天然石等の健康増進物質を採用し、前記基材にゲルマニウムを埋め込むことで、基材の天然石の健康増進効果と、ゲルマニウムの健康増進効果との相乗効果を得ることのできるゲルマニウムブレスレットを提供することである。【解決手段】天然石基材をリング状に形成し、前記基材のリング内側にゲルマニウムチップを埋め込んだことを特徴とするリング状ゲルマニウムブレスレット。【選択図】  図１
0003111980.tif 000002
【実用新案登録請求の範囲】
【請求項１】
天然石基材をリング状に形成し、
前記基材のリング内側にゲルマニウムチップを埋め込んだことを特徴とするリング状ゲルマニウムブレスレット。
【請求項２】
天然石基材をC字状に形成し、
前記基材のリング内側にゲルマニウムチップを埋め込んだことを特徴とするC字状ゲルマニウムブレスレット。
【請求項３】
端部に連結金具を有する天然石基材の連結パーツを複数個つなぎ、
前記連結パーツにゲルマニウムチップを埋め込んだことを特徴とする可撓性ゲルマニウムブレスレット。
【請求項４】
前記基材を天然石とすることで、天然石の持つ健康増進効果と、前記ゲルマニウムチップの持つ健康増進効果との相乗効果が得られることを特徴とする請求項１または２または３に記載のゲルマニウムブレスレット。
【考案の詳細な説明】
【技術分野】
【０００１】
本考案は、装飾用機能と健康増進用機能とを合せ持ち、手首、足首に巻きつけて使用されるブレスレットに関する。
【背景技術】
【０００２】
ブレスレットは、通常、装飾用として用いられているが、健康増進用のブレスレットもよく用いられている。例えば、永久磁石をリング状にしたものや、永久磁石をプラスチック等の樹脂製バンドのリング本体に保持させた形態のもの等が使用されている。これらブレスレットは、手首につけることにより、永久磁石の磁力が皮膚や血液などを刺激し、健康状態の維持や増進をはかるものである。また、最近はゲルマニウム系素材が着目されている（特開昭５６−１１６０号公報等、特許文献１参照）。
【特許文献１】：特開昭５６−１１６０号公報
【考案の開示】
【考案が解決しようとする課題】
【０００３】
従来の健康増進用ブレスレットは、主に、健康増進物質を基材に用いる、または、基材に埋め込む等の方法であるが、健康増進物質を基材に埋め込む方法は、基材自体は健康増進効果のないプラスチックや金属等を用いるため、健康増進物質だけでの健康増進作用を得るにとどまっている。
【０００４】
そこで、本発明の目的は、従来、健康増進効果のない物質で作られてきた基材に天然石等の健康増進物質を採用し、前記基材にゲルマニウムを埋め込むことで、基材の天然石の健康増進効果と、ゲルマニウムの健康増進効果との相乗効果を得ることのできるゲルマニウムブレスレットを提供することである。
【課題を解決するための手段】
【０００５】
上述した課題を解決するために、本発明に係るゲルマニウムブレスレットでは、
天然石基材をリング状あるいはC字状に形成し、
前記基材のリング内側にゲルマニウムチップを埋め込んだことを特徴としている（請求項１及び２）。
または、端部に連結金具を有し、
中央部は天然石基材の連結パーツを複数個つなぎ、
前記連結パーツにゲルマニウムチップを埋め込んだことを特徴としている（請求項３）。
【０００６】
前記基材に天然石を用いることで、天然石の持つ健康増進効果と、前記ゲルマニウムのもつ健康増進効果との相乗効果が得られ、より健康に効果のあるブレスレットを提供することができる（請求項４）。
【考案を実施するための最良の形態】
【０００７】
図１は、本発明に係るリング状ゲルマニウムブレスレットの実施例の立体図である。図示されたリング状ゲルマニウムブレスレット１１は、天然石基材１２と、ゲルマニウムチップ１３を有する。天然石基材１２は、リング状をなし、リング内側にゲルマニウムチップ１３を有する。また、天然石基材１２は、ヒスイやカルセドニー、オニキス、メノウ、ジャスパーを原料とする天然石である。ゲルマニウムチップ１３は、半球状で、天然石基材１２に複数個埋め込まれる。また、ゲルマニウムチップ１３は、磁石、トルマリン、セラミック、ゲルマニウム含有石で代替可能である。
【０００８】
図２は、図１に示すリング状ゲルマニウムブレスレットの断面図である。図示されたリング状ゲルマニウムブレスレット１１は、天然石基材１２と、ゲルマニウムチップ１３を有する。天然石基材１２は、リング状で、リング内側にゲルマニウムチップ１３を有する。ゲルマニウムチップ１３は、半球状で、天然石基材１２に埋め込まれ、接着剤１４により固定される。このような構造にすることにより、天然石基材１２とゲルマニウムチップ１３とが共に人体に触れることで、健康増進の相乗効果を得ることができる。また、ゲルマニウムチップ１３の凸形状は、人体に触れることで指圧作用を与え、指圧による健康増進効果も得ることができる。
【０００９】
図３は、ゲルマニウムチップの別の実施例の断面図である。図示された四角錐形ゲルマニウムチップ１５は、ゲルマニウムチップを四角錐にカッティングしたものである。このようにゲルマニウムチップのカッティング形状を変えることで、人体に対しての指圧作用を調節することができる。
【００１０】
図４は、本発明に係るC字状ゲルマニウムブレスレットの別の実施例の立体図である。図示されたC字状ゲルマニウムブレスレット２１は、天然石基材１２と、手首導入部２２と、ゲルマニウムチップ１３を有する。天然石基材１２はC字状をなし、手首導入部２２と、リング内側にゲルマニウムチップ１３を有する。手首導入部２２は、幅2.5cmであり、一般的な手首の幅に対応した広さとなっている。このような構造にすることで、ブレスレットを用意に装着することができる。
【００１１】
図５は、本発明に係る可撓性ゲルマニウムブレスレットの実施例の立体図である。図示された可撓性ゲルマニウムブレスレット３１は、連結金具３２と、天然石基材の連結パーツ３３と、ゲルマニウムチップ１３を有する。連結金具３２は、可撓性ゲルマニウムブレスレット３１の端部に取り付けられ、手首などを巻回し、可撓性ゲルマニウムブレスレット３１の他端部に連結する。また、連結金具３２の材質は、ステンレスであり、１８金、プラチナ、ホワイトゴールド、シルバー等で代替可能である。天然石基材の連結パーツ３３は、複数個の天然石基材の連結パーツ３３が連結し可撓性のブレスレットを形成する。また、天然石基材の連結パーツ３３は、ゲルマニウムチップ１３を有し、ゲルマニウムチップ１３は、半球状で、天然石基材の連結パーツ３３に複数個埋め込まれる。
【００１２】
図６は、図５に示す可撓性ゲルマニウムブレスレットの天然石基材の連結パーツの連結前の拡大図である。図示された天然石基材の連結パーツ３３は、ゲルマニウムチップ１３と、凹部３４及び凸部３５を有する。ゲルマニウムチップ１３は、天然石基材の連結パーツ３３に埋め込まれている。凹部３４及び凸部３５は、ピン穴３６を有する。
【００１３】
図７は、図６に示す天然石基材の連結パーツの連結後の拡大図である。天然石基材の連結パーツ３３は、ゲルマニウムチップ１３と、凹部３４及び凸部３５を有する。ゲルマニウムチップ１３は、天然石基材の連結パーツ３３に埋め込まれている。凹部３４及び凸部３５は、ピン穴３６を有する。天然石基材の連結パーツ３３同士の連結の際は、天然石基材の連結パーツ３３の凹部３４に、別の天然石基材の連結パーツ３３の凸部３５を導入し、凹部３４及び凸部３５のピン穴３６にピン３７を挿入し、連結する。これにより、連結部は可撓性となり、手首周り等を巻回することができる。
【産業上の利用可能性】
【００１４】
本考案は、つまるところ健康増進機能を有するブレスレットであるが、形状を適当に調節することで、首回りならネックレス、足首周りならアンクレットに適用することが可能である。
【図面の簡単な説明】
【００１５】
【図１】本発明に係るリング状ゲルマニウムブレスレットの実施例の立体図である。本考案に係るパッティング練習用具の立体図である。
【図２】図１に示すリング状ゲルマニウムブレスレットの断面図である。
【図３】ゲルマニウムチップの別の実施例の断面図である。
【図４】本発明に係るC字状ゲルマニウムブレスレットの別の実施例の立体図である。
【図５】本発明に係る可撓性ゲルマニウムブレスレットの実施例の立体図である。
【図６】図５に示す可撓性ゲルマニウムブレスレットの連結パーツの連結前の拡大図である。
【図７】図６に示す連結パーツの連結後の拡大図である。
【符号の説明】
【００１６】
１１  リング状ゲルマニウムブレスレット
１２  天然石基材
１３  ゲルマニウムチップ
１４  接着剤
１５  四角錐形ゲルマニウムチップ
２１  C字状ゲルマニウムブレスレット
２２  手首導入部
３１  可撓性ゲルマニウムブレスレット
３２  連結金具
３３  天然石基材の連結パーツ
３４  凹部
３５  凸部
３６  ピン穴
３７  ピン
【図１】
0003111980.tif 000003
【図２】
0003111980.tif 000004
【図３】
0003111980.tif 000005
【図４】
0003111980.tif 000006
【図５】
0003111980.tif 000007
【図６】
0003111980.tif 000008
【図７】
0003111980.tif 000009
【手続補正書】
【提出日】平成17年4月26日(2005.4.26)
【手続補正１】
【補正対象書類名】明細書
【補正対象項目名】全文
【補正方法】変更
【補正の内容】
【考案の詳細な説明】
【技術分野】
【０００１】
本考案は、装飾用機能と健康増進用機能とを合せ持ち、手首、足首に巻きつけて使用されるブレスレットに関する。
【背景技術】
【０００２】
ブレスレットは、通常、装飾用として用いられているが、健康増進用のブレスレットもよく用いられている。例えば、永久磁石をリング状にしたものや、永久磁石をプラスチック等の樹脂製バンドのリング本体に保持させた形態のもの等が使用されている。これらブレスレットは、手首につけることにより、永久磁石の磁力が皮膚や血液などを刺激し、健康状態の維持や増進をはかるものである。また、最近はゲルマニウム系素材が着目されている（特開昭５６−１１６０号公報等、特許文献１参照）。
【特許文献１】：特開昭５６−１１６０号公報
【考案の開示】
【考案が解決しようとする課題】
【０００３】
従来の健康増進用ブレスレットは、主に、健康増進物質を基材に用いる、または、基材に埋め込む等の方法であるが、健康増進物質を基材に埋め込む方法は、基材自体は健康増進効果のないプラスチックや金属等を用いるため、健康増進物質だけでの健康増進作用を得るにとどまっている。
【０００４】
そこで、本考案の目的は、従来、健康増進効果のない物質で作られてきた基材に天然石等の健康増進物質を採用し、前記基材にゲルマニウムを埋め込むことで、基材の天然石の健康増進効果と、ゲルマニウムの健康増進効果との相乗効果を得ることのできるゲルマニウムブレスレットを提供することである。
【課題を解決するための手段】
【０００５】
上述した課題を解決するために、本考案に係るゲルマニウムブレスレットでは、
天然石基材をリング状あるいはC字状に形成し、
前記基材のリング内側にゲルマニウムチップを埋め込んだことを特徴としている（請求項１及び２）。
または、端部に連結金具を有し、
中央部は天然石基材の連結パーツを複数個つなぎ、
前記連結パーツにゲルマニウムチップを埋め込んだことを特徴としている（請求項３）。
【０００６】
前記基材に天然石を用いることで、天然石の持つ健康増進効果と、前記ゲルマニウムのもつ健康増進効果との相乗効果が得られ、より健康に効果のあるブレスレットを提供することができる（請求項４）。
【考案を実施するための最良の形態】
【０００７】
図１は、本考案に係るリング状ゲルマニウムブレスレットの実施例の立体図である。図示されたリング状ゲルマニウムブレスレット１１は、天然石基材１２と、ゲルマニウムチップ１３を有する。天然石基材１２は、リング状をなし、リング内側にゲルマニウムチップ１３を有する。また、天然石基材１２は、ヒスイやカルセドニー、オニキス、メノウ、ジャスパーを原料とする天然石である。ゲルマニウムチップ１３は、半球状で、天然石基材１２に複数個埋め込まれる。また、ゲルマニウムチップ１３は、磁石、トルマリン、セラミック、ゲルマニウム含有石で代替可能である。
【０００８】
図２は、図１に示すリング状ゲルマニウムブレスレットの断面図である。図示されたリング状ゲルマニウムブレスレット１１は、天然石基材１２と、ゲルマニウムチップ１３を有する。天然石基材１２は、リング状で、リング内側にゲルマニウムチップ１３を有する。ゲルマニウムチップ１３は、半球状で、天然石基材１２に埋め込まれ、接着剤１４により固定される。このような構造にすることにより、天然石基材１２とゲルマニウムチップ１３とが共に人体に触れることで、健康増進の相乗効果を得ることができる。また、ゲルマニウムチップ１３の凸形状は、人体に触れることで指圧作用を与え、指圧による健康増進効果も得ることができる。
【０００９】
図３は、ゲルマニウムチップの別の実施例の断面図である。図示された四角錐形ゲルマニウムチップ１５は、ゲルマニウムチップを四角錐にカッティングしたものである。このようにゲルマニウムチップのカッティング形状を変えることで、人体に対しての指圧作用を調節することができる。
【００１０】
図４は、本考案に係るC字状ゲルマニウムブレスレットの別の実施例の立体図である。図示されたC字状ゲルマニウムブレスレット２１は、天然石基材１２と、手首導入部２２と、ゲルマニウムチップ１３を有する。天然石基材１２はC字状をなし、手首導入部２２と、リング内側にゲルマニウムチップ１３を有する。手首導入部２２は、幅2.5cmであり、一般的な手首の幅に対応した広さとなっている。このような構造にすることで、ブレスレットを用意に装着することができる。
【００１１】
図５は、本考案に係る可撓性ゲルマニウムブレスレットの実施例の立体図である。図示された可撓性ゲルマニウムブレスレット３１は、連結金具３２と、天然石基材の連結パーツ３３と、ゲルマニウムチップ１３を有する。連結金具３２は、可撓性ゲルマニウムブレスレット３１の端部に取り付けられ、手首などを巻回し、可撓性ゲルマニウムブレスレット３１の他端部に連結する。また、連結金具３２の材質は、ステンレスであり、１８金、プラチナ、ホワイトゴールド、シルバー等で代替可能である。天然石基材の連結パーツ３３は、複数個の天然石基材の連結パーツ３３が連結し可撓性のブレスレットを形成する。また、天然石基材の連結パーツ３３は、ゲルマニウムチップ１３を有し、ゲルマニウムチップ１３は、半球状で、天然石基材の連結パーツ３３に複数個埋め込まれる。
【００１２】
図６は、図５に示す可撓性ゲルマニウムブレスレットの天然石基材の連結パーツの連結前の拡大図である。図示された天然石基材の連結パーツ３３は、ゲルマニウムチップ１３と、凹部３４及び凸部３５を有する。ゲルマニウムチップ１３は、天然石基材の連結パーツ３３に埋め込まれている。凹部３４及び凸部３５は、ピン穴３６を有する。
【００１３】
図７は、図６に示す天然石基材の連結パーツの連結後の拡大図である。天然石基材の連結パーツ３３は、ゲルマニウムチップ１３と、凹部３４及び凸部３５を有する。ゲルマニウムチップ１３は、天然石基材の連結パーツ３３に埋め込まれている。凹部３４及び凸部３５は、ピン穴３６を有する。天然石基材の連結パーツ３３同士の連結の際は、天然石基材の連結パーツ３３の凹部３４に、別の天然石基材の連結パーツ３３の凸部３５を導入し、凹部３４及び凸部３５のピン穴３６にピン３７を挿入し、連結する。これにより、連結部は可撓性となり、手首周り等を巻回することができる。
【産業上の利用可能性】
【００１４】
本考案は、つまるところ健康増進機能を有するブレスレットであるが、形状を適当に調節することで、首回りならネックレス、足首周りならアンクレットに適用することが可能である。
【図面の簡単な説明】
【００１５】
【図１】本考案に係るリング状ゲルマニウムブレスレットの実施例の立体図である。本考案に係るパッティング練習用具の立体図である。
【図２】図１に示すリング状ゲルマニウムブレスレットの断面図である。
【図３】ゲルマニウムチップの別の実施例の断面図である。
【図４】本考案に係るC字状ゲルマニウムブレスレットの別の実施例の立体図である。
【図５】本考案に係る可撓性ゲルマニウムブレスレットの実施例の立体図である。
【図６】図５に示す可撓性ゲルマニウムブレスレットの連結パーツの連結前の拡大図である。
【図７】図６に示す連結パーツの連結後の拡大図である。
【符号の説明】
【００１６】
１１  リング状ゲルマニウムブレスレット
１２  天然石基材
１３  ゲルマニウムチップ
１４  接着剤
１５  四角錐形ゲルマニウムチップ
２１  C字状ゲルマニウムブレスレット
２２  手首導入部
３１  可撓性ゲルマニウムブレスレット
３２  連結金具
３３  天然石基材の連結パーツ
３４  凹部
３５  凸部
３６  ピン穴
３７  ピン